(57)【要約】      （修正有）【課題】釣り用おもりにおいて、潮の流れが速い時でも上下の姿勢の維持を可能にしたメタルジグ用スイミングバランサーを提供する。【解決手段】集魚効果を施したおもりにアイを付けたものを、上面に浮力体を有したメタルジグＤの底部のアイＥに取り付けることで、上下の姿勢をさらに安定させることを特徴とする。これにより、潮の流れが速い場合でも、姿勢の維持が出来、本来の性能を発揮できる。【選択図】図３
0003189526.tif 000002
【実用新案登録請求の範囲】
【請求項１】
登録実用新案第３１８５９４１号や実願２０１３−５７２１のメタルジグ底部のキール中央にアイを付け、ここに柔らかい素材でおもりにアイを付けたものをスプリットリングで取り付けることで、潮の早い状況でも上下の姿勢を維持させるバランサーの役目をさせ、バランサーに集魚効果のあるコーティングを施すことによって、魚へのアピールをより強めたことを特徴とするメタルジグ用スイミングバランサー。
【考案の詳細な説明】
【技術分野】
【０００１】  本考案は、登録実用新案第３１８５９４１号や実願２０１３−５７２１のメタルジグに取り付けてバランサーの役目をする、釣り用おもりに関するものである。
【背景技術】
【０００２】  登録実用新案第３１８５９４１号や実願２０１３−５７２１のメタルジグは、本体背面に浮力体を有しているため、上下の姿勢を維持したまま動くことで魚が好む左右の揺れを起こし、これまで釣りづらかった魚が釣れる優れたメタルジグであるが、潮の流れが速すぎる時などは姿勢の維持が難しく、本来の性能を発揮しにくい。【０００３】  この問題を解決するにあたって、登録実用新案第３０９９７２５号の技術を用い、メタルジグの底部にアイを設けて、集魚効果を施したバランサーとなるおもりを取り付けることで、潮の流れが速い状況でも上下の姿勢を維持させて動かせることができ、バランサーも水流を受けてゆらゆらと動くため、さらに魚へアピールさせることができると考えた。使用するバランサーは潮の流れによってはずさないといけない場合があるため、取り外し可能なものであり、おもり自体が自然な動きをするような柔らかい素材のアイを持つことが望ましいが、市販品ではこのようなおもりやバランサーがない。
【先行技術文献】
【特許文献】
【０００４】
【特許文献１】登録実用新案第３１８５９４１号
【特許文献２】登録実用新案第３０９９７２５号
【０００５】
【非特許文献１】実願２０１３−５７２１
【考案の概要】
【考案が解決しようとする課題】
【０００６】  本考案の目的とするところは、潮の早い状況の際、登録実用新案第３１８５９４１号や実願２０１３−５７２１のメタルジグ底部にアイを付けたものにバランサーとなるおもりを取り付けることで、潮の早い状況でも水中での上下の姿勢を維持させ、バランサーが水流によってゆらゆら動くことで、メタルジグと相互に作用して揺れ幅が大きくなり、バランサーに集魚効果を施すことでさらに魚へアピールさせる、メタルジグ用スイミングバランサーを提供しようとするものである。
【課題を解決するための手段】
【０００７】  上記目的を達成するために、本考案におけるメタルジグ用スイミングバランサーは自然な動きを出せるように柔らかい素材でおもりにアイを付け、スプリットリングでメタルジグに取り付けられるようにした。また、集魚効果のあるものを表面にコーティングしてある。おもりは鉛より比重の重いタングステンなどを使用した。バランサーはメタルジグの大きさや重量によって大小数種類を用意し、ジグの大きさと重さに対して適したバランサーを選んで使用できるようにした。また、登録実用新案第３１８５９４１号や実願２０１３−５７２１のメタルジグには、このバランサーが取り付けられるように、登録実用新案第３０９９７２５号の技術を用いてメタルジグ底部のキール中心にアイを設けた。
【考案の効果】
【０００８】  本考案のメタルジグ用スイミングバランサーは、登録実用新案第３１８５９４１号や実願２０１３−５７２１のメタルジグ底部にアイを設けたものに取り付けることで、バランサーとしての役目を果たし、ゆっくりとリールで巻き取ることで、潮の早い状況でもメタルジグが上下の姿勢を維持しながら回転せずに左右の横揺れを起こすことができた。さらに、バランサーも水流によってゆらゆら動き、この動きがメタルジグと相互に作用して揺れ幅が大きくなる。この時、早く動かしすぎるとおもりの揺れ幅が大きくなりすぎて回転してしまうため、極力ゆっくりと動かすことが重要となる。【０００９】  バランサーとなるおもりの表面に集魚効果のあるものをコーティングしたことにより、バランサーが水流で揺れることでさらに魚にアピールすることができ、メタルジグ本体との複合的な集魚効果でより釣果を得ることができた。
【図面の簡単な説明】
【図１】本考案のメタルジグ用スイミングバランサーの左側面図である。
【図２】本考案のメタルジグ用スイミングバランサーの背面図である。
【図３】本考案のメタルジグ用スイミングバランサーの実施例を示す左側面図である。
【考案を実施するための形態】
【００１０】  本考案の実施例を図で説明する。図１は本考案を実施したメタルジグ用スイミングバランサーの左側面図である。バランサーとなるＡのおもりは、メタルジグを形成している鉛より比重の重いタングステンなどを使用し、集魚効果のあるもので表面をコーティングしたものである。おもりには自然な動きが出せるように柔らかい素材でＢのアイを作り、Ｃのスプリットリングでメタルジグと取り付けられるようにした。メタルジグの重量や大きさに対してバランサーの重量や大きさを変えられるように、大小数種類を用意した。図のおもりは球状であるが、球状に限定するものではない。
【００１１】  図２は本考案のメタルジグ用スイミングバランサーの背面図である。
【００１２】  図３は実施例である。使用状態を明確にするため記載した。Ｄの登録実用新案第３１８５９４１号のメタルジグにバランサーを取り付けられるように、登録実用新案第３０９９７２５号の技術を用いてメタルジグ底部のキールの中心にＥのアイを設け、ここに図１のメタルジグ用スイミングバランサーをスプリットリングで取り付けたものである。この状態において、登録実用新案第３１８５９４１号で述べている使用方法でゆっくりと動かすことにより、潮の早い状況でも同様な釣果を得ることができる。さらに、バランサーが水流でゆらゆら揺れることでメタルジグと相互に作用して揺れ幅が大きくなり、集魚効果のあるバランサーの動きとの複合効果でより魚へアピールすることができる。
【符号の簡単な説明】
［Ａ］  おもり
［Ｂ］  柔らかい素材のアイ
［Ｃ］  スプリットリング
［Ｄ］  登録実用新案第３１８５９４１号のメタルジグ
［Ｅ］  底部アイ
［Ｆ］  キール
［Ｇ］  ライン
【図１】
0003189526.tif 000003
【図２】
0003189526.tif 000004
【図３】
0003189526.tif 000005
【手続補正書】
【提出日】平成25年12月27日(2013.12.27)
【手続補正１】
【補正対象書類名】実用新案登録請求の範囲
【補正対象項目名】全文
【補正方法】変更
【補正の内容】
【実用新案登録請求の範囲】
【請求項１】
集魚効果を施したおもりにアイを付けたものを、上面に浮力体を有したメタルジグの底部のアイに取り付けることで、上下の姿勢をさらに安定させることを特徴とするメタルジグ用スイミングバランサー。